(57)【要約】【課題】受信側にも送信コンテンツに対する制御が可能なコンテンツ同期システムを提供する。【解決手段】本発明に係るコンテンツ同期システムは、受信側のコンテンツ送受信装置２の内部状態がアイドリング状態であるときのみ、送信側のコンテンツ送受信装置１との間でコンテンツ同期が可能であり、コンテンツ同期中であっても、コンテンツ送受信装置２のサブ内部状態がロック状態の場合には、送信するコンテンツの更新は不可能となる。【選択図】図９
2007150838.tif 000002
【特許請求の範囲】
【請求項１】
コンテンツデータを格納するコンテンツデータ格納部と、
前記コンテンツデータ格納部に格納されたコンテンツデータを表示する第１の表示部と、
他の外部端末からコンテンツデータの送受信に関する制御データの受信を行う制御データ受信部と、
前記コンテンツデータに格納されたコンテンツデータを他の外部端末に対して送信するコンテンツデータ送信部と、
前記制御データ受信部より受信された制御データに基づき前記他の外部端末がコンテンツデータを受信可能な状態であるか否かに関する情報を管理する第１の状態管理部と、を有するコンテンツデータ送信装置と、
他の外部端末との間における通信が可能な状態であるか否かに関する情報を管理する第２の状態管理部と、
前記第２の状態管理部において管理された他の外部端末との間における通信が可能な状態であるか否かに関する情報を、前記他の外部端末に対して送信する制御データ送信部と、
前記他の外部端末より送信されたコンテンツデータを受信するコンテンツデータ受信部と、
前記コンテンツデータ受信部の受信したコンテンツデータを表示する第２の表示部と、を有するコンテンツデータ受信装置とからなり、
前記コンテンツデータ送信装置は、前記第１の状態管理部に管理された情報により基づき前記コンテンツデータ受信装置がコンテンツデータを受信可能な状態であると判断されたとき、前記コンテンツデータ格納部に格納されたコンテンツデータを前記コンテンツデータ受信装置に送信すると共に、前記第１の表示部に表示させ、
前記コンテンツデータ受信装置は、前記コンテンツデータ受信部の受信したコンテンツデータを受信と同時に前記第２の表示部に表示させることを特徴とするコンテンツ同期システム。
【請求項２】
前記第２の状態管理部に管理される他の外部端末との間における通信が可能な状態であるか否かに関する情報は、送信可能であり受信不可能な状態、受信可能であり送信不可能な状態及び中立状態のいずれかに分類されることを特徴とする、請求項１記載のコンテンツ同期システム。
【請求項３】
前記第２の状態管理部に管理される他の外部端末との間における通信が可能な状態であるか否かに関する情報のうちの受信可能であり送信不可能な状態は、更に、更新可能状態と更新不可能状態とに分類され、前記更新不可能状態である場合には、前記コンテンツデータ送信装置から前記コンテンツデータ受信装置へのコンテンツデータの送信は可能であるが、送信するコンテンツデータを新たなコンテンツデータへ更新することが禁止されることを特徴とする請求項２記載のコンテンツ同期システム。
【発明の詳細な説明】
【技術分野】
【０００１】
本発明はコンテンツ同期システムに関し、特にコンテンツ受信側装置が操作権を有するコンテンツ同期システムに関する。
【背景技術】
【０００２】
近年の技術進歩により、テレビ等の受像機器の多機能化が進んできている。従前のテレビは、放送局から発せられた放送電波を受信してテレビ番組を表示することのみを目的としていた。
【０００３】
その後ＶＴＲが市販化され、家庭においてもビデオ放映を楽しむことができるようになり、更には、インターネット等のネットワークへの接続により、ネットワークを介したコンテンツの送受信や、テレビ電話などを楽しむことができるようになった。
【０００４】
ネットワークを介したコンテンツの送受信としては、ネットワークに接続されたサーバ上にコンテンツデータが予めアップロードされており、これを各端末がダウンロードすることで視聴できるといったものがある。この場合には各端末において、それぞれのタイミングでコンテンツを視聴することになる。
【０００５】
また、１の端末で再生するコンテンツのデータについて、ネットワークを介して他の端末に送信することで、離れた位置に設置された複数の端末において同時に１つのコンテンツデータを再生する方法もある。この方法は、テレビ電話等における映像や音声の送信と実質的には同じである。一方の端末側で用意されたコンテンツを、他の端末に中継させる方法についても、様々な提案がなされている（例えば、特許文献１参照）。
【特許文献１】特開２００２−３０４３７１号公報
【発明の開示】
【発明が解決しようとする課題】
【０００６】
しかしながら、従来の発明においては、複数の端末により再生するコンテンツを同期させるシステムにおいて、複数あるコンテンツの中からどれを選択して送信するかについては、全て送信側に選択権があり、複数の中から選択されたコンテンツを一方的に送信することになる。また、コンテンツが動画である場合には、送信側に再生、停止の制御権があるため、受信側の事情に応じた制御ができなかった。
従って本発明は、受信側にも送信コンテンツに対する制御が可能なコンテンツ同期システムを提供することを目的とする。
【課題を解決するための手段】
【０００７】
本発明は、上記目的を達成するため、コンテンツデータを格納するコンテンツデータ格納部と、前記コンテンツデータ格納部に格納されたコンテンツデータを表示する第１の表示部と、他の外部端末からコンテンツデータの送受信に関する制御データの受信を行う制御データ受信部と、前記コンテンツデータに格納されたコンテンツデータを他の外部端末に対して送信するコンテンツデータ送信部と、前記制御データ受信部より受信された制御データに基づき前記他の外部端末がコンテンツデータを受信可能な状態であるか否かに関する情報を管理する第１の状態管理部と、を有するコンテンツデータ送信装置と、他の外部端末との間における通信が可能な状態であるか否かに関する情報を管理する第２の状態管理部と、前記第２の状態管理部において管理された他の外部端末との間における通信が可能な状態であるか否かに関する情報を、前記他の外部端末に対して送信する制御データ送信部と、前記他の外部端末より送信されたコンテンツデータを受信するコンテンツデータ受信部と、前記コンテンツデータ受信部の受信したコンテンツデータを表示する第２の表示部と、を有するコンテンツデータ受信装置とからなり、前記コンテンツデータ送信装置は、前記第１の状態管理部に管理された情報により基づき前記コンテンツデータ受信装置がコンテンツデータを受信可能な状態であると判断されたとき、前記コンテンツデータ格納部に格納されたコンテンツデータを前記コンテンツデータ受信装置に送信すると共に、前記第１の表示部に表示させ、前記コンテンツデータ受信装置は、前記コンテンツデータ受信部の受信したコンテンツデータを受信と同時に前記第２の表示部に表示させることを特徴とするコンテンツ同期システムを提供する。
【０００８】
上記コンテンツ同期システムは、前記第２の状態管理部に管理される他の外部端末との間における通信が可能な状態であるか否かに関する情報は、送信可能であり受信不可能な状態、受信可能であり送信不可能な状態及び中立状態のいずれかに分類されるものであってもよい。
【０００９】
また、上記コンテンツ同期システムは、前記第２の状態管理部に管理される他の外部端末との間における通信が可能な状態であるか否かに関する情報のうちの受信可能であり送信不可能な状態は、更に、更新可能状態と更新不可能状態とに分類され、前記更新不可能状態である場合には、前記コンテンツデータ送信装置から前記コンテンツデータ受信装置へのコンテンツデータの送信は可能であるが、送信するコンテンツデータを新たなコンテンツデータへ更新することが禁止されるものであってもよい。
【発明の効果】
【００１０】
本発明によれば、複数の端末において再生するコンテンツを同期させるシステムにおいて、送信側のみでなく受信側も送信コンテンツに対する制御が可能になる。
【発明を実施するための最良の形態】
【００１１】
以下、図面を参照しながら本発明の実施の形態について説明する。
【００１２】
（システムの構成）
図１は、本発明に係るコンテンツ同期システムの構成を示す概略図である。コンテンツ同期システムは、少なくとも２つのコンテンツ送受信装置１及び２と、それらを接続するネットワーク３より構成される。
【００１３】
コンテンツ送受信装置１及び２は、デジタルテレビよりなり、且つ、コンテンツデータの格納機能を併せ持つ。コンテンツデータの格納機能としては、ハードディスクドライブ（ＨＤＤ）或いはＤＶＤレコーダ等が挙げられるが、コンテンツデータをデジタルデータとして記憶し、データリストをコンテンツ送受信装置が表示可能であり、選択されたコンテンツデータを瞬時に呼出可能なものであれば、いかなる形態の格納機能であっても構わない。
【００１４】
また、コンテンツ送受信装置１及び２のうち少なくとも一方は、コンテンツデータの送信側となるので、コンテンツデータ格納機能を有する必要があるが、もう一方については、コンテンツデータの受信専用である場合には、コンテンツデータ格納機能は必須要素ではない。
【００１５】
（コンテンツ送受信装置の内部構成）
図２は、本発明に係るコンテンツ送受信装置の構成を示すブロック図である。コンテンツ送受信装置１及び２は、いずれも同じ構成よりなるものであるので、以下の説明はコンテンツ送受信装置１として行うが、コンテンツ送受信装置２についても該当する。
【００１６】
図２において、コンテンツ送受信装置１は、制御部１１と、ＲＯＭ１２と、ＲＡＭ１３と、コンテンツデータ格納部１４と、状態管理部１５と、操作部１６と、テレビ放送受信部１７と、音声発生部１８と、画像表示部１９と、外部メモリ用インターフェイス（Ｉ／Ｆ）２０と、制御データ送受信部２１と、コンテンツデータ送受信部２２と、ネットワーク用Ｉ／Ｆ２３と、メイン内部バス２４とからなる。
【００１７】
制御部１１は、コンテンツ送受信装置１の制御を司るものであり、具体的にはＣＰＵ（中央演算装置）等が用いられる。
【００１８】
ＲＯＭ１２は、コンテンツ送受信装置１を駆動させるために制御部１１において実行されるプログラム等を格納するものであり、ＲＡＭ１３は、コンテンツ送受信装置１を駆動させる際に制御部１１が必要とするパラメータ等を一時的に格納するものである。
【００１９】
コンテンツデータ格納部１４は、コンテンツ送受信装置１で受信したテレビ画像や、後述する外部メモリ用Ｉ／Ｆ２０を介して外部メモリ５より転送されたコンテンツデータや、ネットワーク３及び後述するネットワーク用Ｉ／Ｆ２３を介して他のコンテンツ送受信装置から受信したコンテンツデータを格納するものである。コンテンツ送受信装置１に内蔵されるという点で、後述の外部メモリと区別され、主としてＨＤＤが用いられる。但し、内蔵されるものであればＨＤＤに限定されることはなく、半導体メモリなどであってもよい。
【００２０】
状態管理部１５は、コンテンツ送受信装置１の内部状態が、アイドリング状態、コンテンツ送信可能状態、コンテンツ受信状態のいずれであるか、また、コンテンツ受信状態にある場合には、サブ内部状態がロック状態、アンロック状態のいずれであるかについての認識を行う。また、コンテンツ送信可能状態である場合には、通信先機器のサブ内部状態の認識も行う。内部状態、サブ内部状態に関する詳細は後述する。
【００２１】
操作部１６は、コンテンツ送受信装置１の起動／停止や、受信チャンネルの切替、コンテンツデータの送受信などの操作を行うためのものであり、コンテンツ送受信装置１本体に直接設けられているものであっても、コンテンツ送受信装置１とは分離したリモコンと、リモコンからの信号を受信する受信部とからなるものであってもよい。
【００２２】
テレビ放送受信部１７は、コンテンツ送受信装置１の外部に構成されたアンテナ４を介して、テレビ放送電波を受信するものである。
【００２３】
音声発生部１８は、受信したテレビ放送や再生するコンテンツデータの音声を発生させるものであり、スピーカまたはヘッドフォン端子に相当する。また、画像表示部１９は、受信したテレビ放送や再生するコンテンツデータの画像・映像を表示するものであり、ＣＲＴ、ＬＣＤ、ＰＤＰ等の画像表示装置に相当する。
【００２４】
外部メモリ用Ｉ／Ｆ２０は、外部メモリ５と接続し、外部メモリ５に格納されたコンテンツデータの呼び出し、或いはコンテンツデータ格納部１４に格納されたコンテンツデータを外部メモリ５へ転送する。外部メモリ５は、例えば、ＤＶＤ-Ｒ等の光学ディスクや半導体メモリ、或いはデジタルビデオカメラなどの外部機器であってもよい。光学ディスクや半導体メモリについては、専用のスロットに挿入することで、外部メモリ用Ｉ／Ｆ２０とデータ送受信が可能となる。また、外部機器の場合は、ＵＳＢやＩＥＥＥ１３９４で接続することで、外部メモリ用Ｉ／Ｆ２０とデータ送受信が可能となる。
【００２５】
制御データ送受信部２１は、後述のネットワーク用Ｉ／Ｆ２３を介して、他端末へのコンテンツデータの更新要求や、他端末からのコンテンツデータの更新要求に対する応答等の制御情報の送受信を行うものである。
【００２６】
また、コンテンツデータ送受信部２２は、選択されたコンテンツデータをコンテンツデータ格納部１４或いは外部メモリ５より読み出して、後述のネットワーク用Ｉ／Ｆ２３へ送信、又はネットワーク用Ｉ／Ｆ２３からネットワーク３を介して送信されてきたコンテンツデータをネットワーク用Ｉ／Ｆ２３から受信する。
【００２７】
更に、ネットワーク用Ｉ／Ｆ２３は、コンテンツ送受信装置１の外部に構成されたネットワーク３と接続し、上記制御データやコンテンツデータの送受信を行う。
【００２８】
メイン内部バス２４は、コンテンツ送受信装置１の各構成部を電気的に接続し、制御部１１の他の構成部へのアクセスや、各構成部間でのデータの移動に使用される。具体的には、ＰＣＩやＰＣＩ  ｅｘｐｒｅｓｓ等である。
【００２９】
（内部状態・サブ内部状態）
本発明に係るコンテンツ送受信装置における内部状態の変化について、図３を用いて説明する。
【００３０】
図３（ａ）は、コンテンツ送受信装置１の内部状態の変化の様子を示す図である。コンテンツ送受信装置１の内部状態は、コンテンツ送信可能状態、コンテンツ送信状態、アイドリング状態及びＮＵＬＬ状態に分類される。
【００３１】
コンテンツ送信可能状態は、他の端末に対してコンテンツを送信することが可能な状態であり、この状態においては、他の端末からコンテンツを受信することはできない。
【００３２】
一方、コンテンツ受信状態は、他の端末からコンテンツを受信するための状態であり、設定された端末からのコンテンツの受信は可能であるが、それ以外の端末からのコンテンツの受信や、他の端末へのコンテンツ送信をすることはできない。
【００３３】
アイドリング状態は、他の端末との間でセッションが確立された状態であって、コンテンツ送信可能状態でもコンテンツ受信状態でもない状態であり、この状態からコンテンツ送信可能状態やコンテンツ受信状態へと移行する。
【００３４】
ＮＵＬＬ状態は、他の端末との間のセッションが未確立の状態であり、セッションが確立することによりＮＵＬＬ状態からアイドリング状態へと移行する。
【００３５】
ＮＵＬＬ状態にあるコンテンツ送受信装置１は、まず、他の端末との間でセッションを確立させる。セッションが確立すると両装置はアイドリング状態へ移行する。また、アイドリング状態にあるコンテンツ送受信装置１は、セッション終了によりＮＵＬＬ状態へ移行する。
【００３６】
アイドリング状態にあるコンテンツ送受信装置１は、ユーザからのコンテンツリスト表示要求により、コンテンツ送信可能状態へ移行する。その後、後述の動作によって同期化された端末に対してコンテンツの送信がなされる。また、同期終了要求により、同期化を解消し、アイドリング状態へと戻ることになる。
【００３７】
また、アイドリング状態にあるコンテンツ送受信装置１は、ネットワークにより接続された他の端末からの同期開始要求により、コンテンツ受信状態へ移行する。その後、後述の動作によって同期化された端末からのコンテンツの受信がなされる。また、同期終了要求により、同期化を解消し、アイドリング状態へと戻ることになる。
【００３８】
図３（ｂ）は、コンテンツ受信状態のサブ内部状態の変化の様子を示す図である。コンテンツ送受信装置１の内部状態がコンテンツ受信状態である場合には、更にサブ内部状態が設定される。サブ内部状態は、ロック能状態及びアンロック状態に分類される。
【００３９】
ロック状態は、コンテンツ送信可能状態にある端末からのコンテンツを受信せず、コンテンツの更新ができない状態である。また、アンロック状態は、コンテンツ送信可能状態にある端末からのコンテンツを受信して、コンテンツの更新が可能な状態である。
【００４０】
コンテンツ送受信装置１の内部状態が、アイドリング状態からコンテンツ受信状態へ移行した際には、サブ内部状態はアンロック状態にある。アンロック状態においてユーザが一時停止要求をすると、サブ内部状態がロック状態へと移行し、コンテンツの更新がされなくなる。
【００４１】
ロック状態において、ユーザが一時停止解除要求をすることにより、サブ内部状態がアンロック状態へと移行するので、コンテンツの更新が可能となり、送信側端末においてコンテンツの更新がされると、同期化された本装置においても、併せてコンテンツの更新がされることになる。
【００４２】
（コンテンツ同期の手順）
本発明による方法でコンテンツ送受信装置１及び２の間でコンテンツを同期させるためには、最初にコンテンツ送受信装置１及び２の間でセッションを確立させる必要がある。セッションを確立するためには、コンテンツ送受信装置１及び２の間で互いにＩＰアドレスを取得し、更に、コンテンツ送受信装置１及び２の間で制御データ及びコンテンツデータを送受信する通信プロトコル及びポート番号を取り決めることになる。
【００４３】
コンテンツ送受信装置１がコンテンツ送受信装置２のＩＰアドレスを取得するには、コンテンツ送受信装置２のユーザからオフラインで教えてもらう方法であっても、ＤＤＮＳ（Dynamic  ＤＮＳ）やＳＩＰ（Session Initiation Protocol）を使って取得する方法でもよい。コンテンツ送受信装置２がコンテンツ送受信装置１のＩＰアドレスを取得する場合であっても同様である。
【００４４】
コンテンツ送受信装置１及び２の間でコンテンツデータの送受信をする通信プロトコル及びポート番号は、予め決めておくのであってもよく、ＳＤＰ（Session Description Protocol）を使用して動的に決定するものであってもよい。通信プロトコルは、例えばＨＴＴＰであるが、独自の通信プロトコルであってもよい。
【００４５】
（画像の表示例）
次に、コンテンツ送受信装置１における、他の端末との間でコンテンツ同期を行う際の画像の表示例について図面を参照しつつ説明する。
【００４６】
図４は、コンテンツ送受信装置１における同期開始時の画像の表示例を示す図である。（ａ）は、送信側となるコンテンツ送受信装置１に表示されるコンテンツリストの表示例である。図４（ａ）においては、コンテンツ送受信装置１に格納された複数の画像ファイルを属性毎にフォルダを分けて分別表示されている。
【００４７】
図４（ｂ）は、（ａ）のリスト表示状態において、ユーザが１のコンテンツを指定して同期開始を要求した際に表示される画像の表示例である。通信先となるコンテンツ送受信装置２に対して同期開始要求信号を送信してよいかの確認画面が表示される。
【００４８】
図４（ｃ）は、通信先であるコンテンツ送受信装置２からの同期開始ＯＫの応答を受信した際の画像の表示例である。コンテンツ同期がされたことにより、これよりコンテンツの表示を開始する旨が表示されている。
【００４９】
また、図５は、コンテンツ同期中にコンテンツ送受信装置１においてコンテンツの更新を要求した際の、画像の表示例を示す図である。（ａ）は、コンテンツ同期中に、同期されたコンテンツが表示されている様子を示す図である。
【００５０】
図５（ｂ）は、（ａ）のコンテンツ表示状態において、ユーザが１のコンテンツの更新を要求した際に表示される画像の表示例である。現在表示されているコンテンツの表示を終了して新たなコンテンツを表示してよいかの確認画面が表示される。
【００５１】
図５（ｃ）は、通信先であるコンテンツ送受信装置２のサブ内部状態がロック状態であるために、コンテンツを更新することができない際の画像の表示例である。コンテンツ送受信装置２側のユーザが、現在表示中のコンテンツからの更新を望んでおらず、サブ内部状態がロック状態に変更されているため、更新できない旨が表示される。
【００５２】
（コンテンツ同期の動作例）
次に、コンテンツ同期の動作例について図を参照しつつ説明する。
【００５３】
図６は、コンテンツ送受信装置１からコンテンツ送受信装置２に対してコンテンツ同期要求がされ、同期が開始される動作を示す図である。
【００５４】
図６（ａ）に示すように、コンテンツ送受信装置１を使用する送信側ユーザ６が、コンテンツリストよりコンテンツを選択した後に、コンテンツ同期開始要求を行うと、ネットワーク３を介してコンテンツ送受信装置１からコンテンツ送受信装置２に対して同期開始要求信号が送信される。このとき、受信側であるコンテンツ送受信装置２の内部状態はアイドリング状態である必要があり、アイドリング状態でない場合には、コンテンツ同期は不成立となる。
【００５５】
続いて図６（ｂ）に示すように、コンテンツ送受信装置１からのコンテンツ同期開始要求の受信により、コンテンツ送受信装置２はコンテンツ受信可能状態へ移行する。そしてコンテンツ受信が可能となったことを、コンテンツ送受信装置１に対して応答する。
【００５６】
そして図６（ｃ）に示すように、コンテンツ同期が確立され、コンテンツ送受信装置１に表示されたコンテンツがネットワーク３を介して送信されることで、コンテンツ送受信装置２においても同一のコンテンツが表示されるので、送信側ユーザ６と、コンテンツ送受信装置２を使用する受信側ユーザ７とが、それぞれ別の場所で同一のコンテンツを楽しむことができることになる。
【００５７】
また、図７は、受信側ユーザ７がコンテンツ送受信装置２のサブ内部状態をロック状態に移行させたことにより、コンテンツ更新ができなくなる場合の動作を示す図である。
【００５８】
最初に、図７（ａ）に示すように、コンテンツ送受信装置２のサブ内部状態がアンロック状態であるときに、受信側ユーザが鑑賞中のコンテンツを更新できなくするように一時停止指示を行う。
【００５９】
すると、図７（ｂ）に示すように、コンテンツ送受信装置２のサブ内部状態はロック状態へと移行する。そのため、このときに送信側ユーザ６がコンテンツの更新を望んだとしても、コンテンツ送受信装置２に表示されたコンテンツは更新することができない。
【００６０】
そのため、図７（ｃ）に示すように、コンテンツ送受信装置２よりコンテンツ送受信装置１へと更新できない旨の信号が送信されるので、コンテンツ送受信装置１におけるコンテンツ更新はされず、コンテンツ送受信装置１及び２の双方で、更新要求前のコンテンツが引き続き表示されることになる。
【００６１】
（コンテンツ同期の動作）
次に、本発明に係るコンテンツ同期システムにおけるコンテンツ同期の方法について、フローチャートを参照しつつ説明する。
【００６２】
図８は、コンテンツ送受信装置１とコンテンツ送受信装置２との間においてコンテンツ同期を開始する際の動作を示すフローチャートである。ここでは、コンテンツ送受信装置１を送信側（装置１）、コンテンツ送受信装置２を受信側（装置２）として扱うものとする。
【００６３】
なお、以下に説明する動作は、特に記載のない限り、コンテンツ送受信装置１及び２のそれぞれに内蔵される制御部１１が行うものとする。
【００６４】
最初に、コンテンツ送受信装置１において、画像表示部１９上にコンテンツリストを表示させる（ステップＳ１０１）。制御部１１は、コンテンツデータ格納部１４に格納されたコンテンツデータに関するリストを画像表示部１９に表示させる。
【００６５】
次に、ユーザ６が表示されたコンテンツリストに従い１のコンテンツを選択すると、まず、内部状態がアイドリング状態であるか否かの判断を行う（ステップＳ１０２）。内部状態がアイドリング状態でないと判別した場合には（Ｓ１０２：Ｎｏ）、何ら内部状態を変更することなくこの処理を終了し、内部状態がアイドリング状態であると判別した場合には（Ｓ１０２：Ｙｅｓ）、対応するデータをコンテンツデータ格納部１４より呼び出して画像表示部１９に表示させるとともに、制御データ送受信部２１を介してコンテンツ送受信装置２に対して同期開始要求信号を送信する（ステップＳ１０３）。
【００６６】
一方、受信側のコンテンツ送受信装置２において、当該同期開始要求信号を受信すると（ステップＳ２０１）、内部状態がアイドリング状態であるか否かの判断を行う（ステップＳ２０２）。
【００６７】
内部状態がアイドリング状態であると判別した場合には（Ｓ２０２：Ｙｅｓ）、内部状態をアイドリング状態からコンテンツ受信可能状態へ更新し（ステップＳ２０３）、更に、サブ内部状態をアンロック状態に設定する（ステップＳ２０４）。その上で、同期開始を了承する旨の応答信号を、コンテンツ送受信装置１に対して制御データ送受信部２１を介して送信する（ステップＳ２０５）。
【００６８】
一方、内部状態がコンテンツ送信状態或いはコンテンツ受信可能状態であって、アイドリング状態であると判別した場合には（Ｓ２０２：Ｎｏ）、既に他のコンテンツ送受信装置との間でコンテンツ同期を行っていることになるので、同期開始ができない旨の応答信号を、コンテンツ送受信装置１に対して送信する（ステップＳ２０６）。
【００６９】
次に、コンテンツ送受信装置１において、上記ステップＳ２０５の同期開始を了承する旨の応答信号、又は上記ステップＳ２０６の同期開始ができない旨の応答信号を受信すると（ステップＳ１０４）、応答結果が同期開始を了承するものであるか否かの判断を行う（ステップＳ１０５）。
【００７０】
応答結果が同期開始の了承であると判別した場合には（Ｓ１０５：Ｙｅｓ）、内部状態をコンテンツ送信可能状態へ更新させる（ステップＳ１０６）。一方、応答結果が同期開始することができないものであると判別した場合には（Ｓ１０５：Ｎｏ）、何ら内部状態を変更することなくこの処理を終了する。
【００７１】
以上のような動作により、２つのコンテンツ送受信装置間におけるコンテンツ同期が確立されることになる。
【００７２】
図９は、コンテンツ送受信装置１とコンテンツ送受信装置２との間においてコンテンツ同期を行っている際における、コンテンツ更新の動作を示すフローチャートである。
【００７３】
最初に、送信側ユーザ６からのコンテンツ更新要求信号を受信する（ステップＳ１１１）。コンテンツ更新要求信号は、送信側ユーザ６がコンテンツ送受信装置１に備えつけられた操作スイッチ、或いはリモコンを操作することにより操作部１６より制御部１１に送信される。
【００７４】
次に、コンテンツ送受信装置１において表示されるコンテンツを更新させ（ステップＳ１１２）、本装置の内部状態がコンテンツ送信可能状態であるか否かの判断を行う（ステップＳ１１３）。内部状態がコンテンツ送信可能状態でないと判別した場合には（Ｓ１１３：Ｎｏ）、コンテンツ送受信装置２との間でコンテンツ同期が行えないので、何ら処理することなくこのプログラムを終了させるが、内部状態がコンテンツ送信可能状態であると判別した場合には（Ｓ１１３：Ｙｅｓ）、コンテンツデータのコピーを行う（ステップＳ１１４）。その後、当該コンテンツデータのＵＲＬを同期先のコンテンツ送受信装置２へ送信する（ステップＳ１１５）。
【００７５】
一方、コンテンツ送受信装置２においては、まず、同期先のコンテンツ送受信装置１よりコンテンツデータのＵＲＬを受信する（ステップＳ２１１）。次に、本装置のサブ内部状態がアンロック状態であるか否かの判断を行う（ステップＳ２１２）。
【００７６】
サブ内部状態がアンロック状態であると判別した場合には（Ｓ２１２：Ｙｅｓ）、コンテンツ送受信装置１に対する応答としてコンテンツ更新を了承する旨の信号を送信し（ステップＳ２１３）、サブ内部状態がロック状態であると判別した場合には（Ｓ２１２：Ｎｏ）、コンテンツ送受信装置１に対する応答としてコンテンツ更新を了承しない旨の信号を送信し（ステップＳ２１４）、このプログラムを終了させる。
【００７７】
一方、コンテンツ送受信装置１において、コンテンツ更新に対する応答を受信すると（ステップＳ１１６）、応答結果がコンテンツ更新を了承するものであるか否かを判断する（ステップＳ１１７）。応答結果がコンテンツ更新を了承しないもの（上記ステップＳ２１４によるもの）であったと判別した場合には（Ｓ１１７：Ｎｏ）、何ら処理を行うことなくこのプログラムを終了させるが、応答結果がコンテンツ更新を了承するもの（上記ステップＳ２１３によるもの）であったと判別した場合には（Ｓ１１７：Ｙｅｓ）、更新後のコンテンツデータを送信する（ステップＳ１１８）。
【００７８】
一方のコンテンツ送受信装置２においては、コンテンツ送受信装置１のステップＳ２１１で受信したＵＲＬよりコンテンツデータを受信し（ステップＳ２１５）、表示されるコンテンツの内容を、新たなコンテンツに更新する（ステップＳ２１６）。
【００７９】
以上のような動作を行うことにより、コンテンツ同期におけるコンテンツ更新の際に、送信側の一方的な判断で、受信側に表示されるコンテンツが更新されず、受信側ユーザが了承した場合にのみ更新させることができる。
【００８０】
図１０は、コンテンツ送受信装置１とコンテンツ送受信装置２との間においてコンテンツ同期を終了する際の動作を示すフローチャートである。
【００８１】
最初に、コンテンツ送受信装置１において、制御データ送受信部２１を介してコンテンツ送受信装置２に対して同期終了要求信号を送信し（ステップＳ１２１）、内部状態をアイドリング状態へ更新する（ステップＳ１２２）。
【００８２】
一方、コンテンツ送受信装置２においては、同期終了要求信号を受信すると（ステップＳ２２１）、画面上にメニューを表示し（ステップＳ２２２）、その後内部状態をアイドリング状態へ更新する（ステップＳ２２３）。
【００８３】
以上のような動作により、コンテンツ送受信装置１及び２の内部状態はともにアイドリング状態へと更新されるので、コンテンツ同期を終了させることができる。
【００８４】
（その他の実施の形態）
上記した実施の形態は、コンテンツの送信時及び更新時に、受信側のユーザの了承を求めるものであったが、上記技術の応用により、更に、受信側ユーザに主導権を持たせることも可能である。
【００８５】
図１１は、表示させるコンテンツを受信側のユーザが選択する場合の動作を示す図である。
【００８６】
図１１（ａ）に示すように、コンテンツ送受信装置１からコンテンツ送受信装置２に対してリストが転送され、そのリストがコンテンツ送受信装置２に表示される。
【００８７】
続いて、（ｂ）に示すように、受信側ユーザ７がリストの中から１のコンテンツを指定すると、コンテンツ送受信装置１から当該コンテンツが呼び出される。
【００８８】
そして、コンテンツ送受信装置１及び２の双方において、当該コンテンツが表示され、送信側ユーザ６と受信側ユーザ７とが、同時に同一のコンテンツを視聴できることになる。
【００８９】
また、図１２は、表示中の動画の操作を、受信側ユーザ７が行う場合の動作例を示す図である。
【００９０】
最初に、図１２（ａ）に示すように、コンテンツ送受信装置１及び２の双方において、１の動画コンテンツが表示されているとする。
【００９１】
次に、（ｂ）に示すように、受信側ユーザ７が一時停止操作をすることにより、当該動画コンテンツの再生が一時停止される。
【００９２】
すると、（ｃ）に示すように、コンテンツ送受信装置１で表示される動画コンテンツも一時停止されてしまうが、受信側ユーザ７が、どうしても席を立ちたいなどの理由で、コンテンツの再生を停止させたい場合に、受信側にも操作権が与えられていれば、このようなことも可能になる。
【図面の簡単な説明】
【００９３】
【図１】本発明に係るコンテンツ同期システムの構成を示す概略図である。
【図２】本発明に係るコンテンツ送受信装置の構成を示すブロック図である。
【図３】（ａ）は、コンテンツ送受信装置１の内部状態の変化の様子を示す図、（ｂ）は、コンテンツ受信状態のサブ内部状態の変化の様子を示す図である。
【図４】コンテンツ送受信装置１における同期開始時の画像の表示例を示す図である。
【図５】コンテンツ同期中にコンテンツ送受信装置１においてコンテンツの更新を要求した際の、画像の表示例を示す図である。
【図６】コンテンツ送受信装置１からコンテンツ送受信装置２に対してコンテンツ同期要求がされ、同期が開始される動作を示す図である。
【図７】受信側ユーザ７がコンテンツ送受信装置２のサブ内部状態をロック状態に移行させたことにより、コンテンツ更新ができなくなる場合の動作を示す図である。
【図８】コンテンツ送受信装置１とコンテンツ送受信装置２との間においてコンテンツ同期を開始する際の動作を示すフローチャートである。
【図９】コンテンツ送受信装置１とコンテンツ送受信装置２との間においてコンテンツ同期を行っている際における、コンテンツ更新の動作を示すフローチャートである。
【図１０】コンテンツ送受信装置１とコンテンツ送受信装置２との間においてコンテンツ同期を終了する際の動作を示すフローチャートである。
【図１１】表示させるコンテンツを受信側のユーザが選択する場合の動作を示す図である。
【図１２】表示中の動画の操作を、受信側ユーザ７が行う場合の動作例を示す図である。
【符号の説明】
【００９４】
１、２、コンテンツ送受信装置  ３、ネットワーク  ４、アンテナ  ５、外部メモリ
６、送信側ユーザ  ７、受信側ユーザ  １１、制御部  １２、ＲＯＭ  １３、ＲＡＭ
１４、コンテンツデータ格納部  １５、状態管理部  １６、操作部
１７、テレビ放送受信部  １８、音声発生部  １９、画像表示部
２０、外部メモリ用Ｉ／Ｆ  ２１、制御データ送受信部
２２、コンテンツデータ送受信部  ２３、ネットワーク用Ｉ／Ｆ
【図１】
2007150838.tif 000003
【図２】
2007150838.tif 000004
【図３】
2007150838.tif 000005
【図４】
2007150838.tif 000006
【図５】
2007150838.tif 000007
【図６】
2007150838.tif 000008
【図７】
2007150838.tif 000009
【図８】
2007150838.tif 000010
【図９】
2007150838.tif 000011
【図１０】
2007150838.tif 000012
【図１１】
2007150838.tif 000013
【図１２】
2007150838.tif 000014